(57)【要約】【課題】ウェブ位置調整装置および方法並びに印刷機において、ウェブの縦折り精度の向上を図ることができる。【解決手段】搬送されるウェブＷを縦折りする三角板２１と、三角板２１または三角板２１よりウェブＷの搬送方向の上流側に設けられてウェブＷの幅方向の位置を調整する幅方向調整装置２２，７１，８１と、三角板２１で縦折りされるウェブＷの幅方向の位置を検出する第１幅方向位置検出器２３と、第１幅方向位置検出器２３の検出結果に基づいて幅方向調整装置２２，７１，８１を制御する制御装置２４とを備える。【選択図】図１
2020033170.tif 000002
【特許請求の範囲】
【請求項１】
搬送されるウェブを縦折りする三角板と、
前記三角板または前記三角板より前記ウェブの搬送方向の上流側に設けられて前記ウェブの幅方向の位置を調整する幅方向調整装置と、
前記三角板で縦折りされる前記ウェブの幅方向の位置を検出する第１幅方向位置検出器と、
前記第１幅方向位置検出器の検出結果に基づいて前記幅方向調整装置を制御する制御装置と、
を備えることを特徴とするウェブ位置調整装置。
【請求項２】
前記第１幅方向位置検出器は、前記三角板における少なくとも幅方向の一方側に設けられることを特徴とする請求項１に記載のウェブ位置調整装置。
【請求項３】
前記三角板より前記ウェブの搬送方向の下流側に縦折りされた前記ウェブを挟持して搬送する一対の支持ローラが設けられ、前記第１幅方向位置検出器は、前記三角板の全長における中間位置より前記支持ローラ側に設けられることを特徴とする請求項１または請求項２に記載のウェブ位置調整装置。
【請求項４】
前記三角板より前記ウェブの搬送方向の上流側で且つ前記幅方向調整装置より前記ウェブの搬送方向の下流側で前記ウェブの幅方向の位置を検出する第２幅方向位置検出器が設けられ、前記制御装置は、前記第１幅方向位置検出器と前記第２幅方向位置検出器の検出結果に基づいて前記幅方向調整装置をカスケード制御することを特徴とする請求項１から請求項３のいずれか一項に記載のウェブ位置調整装置。
【請求項５】
前記制御装置は、前記第１幅方向位置検出器の検出位置での前記ウェブの幅方向のずれ量が減少するように、前記第２幅方向位置検出器の検出位置での前記ウェブの幅方向の目標位置を設定して前記幅方向調整装置を制御することを特徴とする請求項４に記載のウェブ位置調整装置。
【請求項６】
搬送されるウェブを三角板により縦折りする工程と、
前記三角板で縦折りされる前記ウェブの幅方向の位置を検出する工程と、
前記三角板または前記三角板より前記ウェブの搬送方向の上流側で検出した前記ウェブの幅方向の位置に基づいて前記ウェブの幅方向の位置を調整する工程と、
を有することを特徴とするウェブ位置調整方法。
【請求項７】
ウェブを供給する給紙装置と、
前記給紙装置から供給された前記ウェブに対して印刷を施す印刷装置と、
前記印刷装置により印刷が施された前記ウェブを縦折りした後に断裁して所定の折帖を形成する折り装置と、
前記折り装置により折り畳まれた折帖を排出する排紙装置と、
請求項１から請求項５のいずれか一項に記載のウェブ位置調整装置と、
を備えることを特徴とする印刷機。
【発明の詳細な説明】
【技術分野】
【０００１】
本発明は、搬送されるウェブにおける幅方向の位置を調整するウェブ位置調整装置、ウェブ位置調整装置が適用される印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成される。給紙装置は、巻取体を有しており、この巻取体からウェブを引き出して供給する。インフィード装置は、巻取体から引き出されたウェブに所定のテンションを作用させる。印刷装置は、多色刷り可能な複数の印刷ユニットを有し、走行するウェブに対して印刷を施す。乾燥装置は、印刷装置により印刷が施されたウェブ上のインキを加熱乾燥させ、冷却装置は、乾燥装置で加熱されたウェブを冷却する。ウェブパス装置は、ウェブの蛇行調整を行うものである。折り装置は、ウェブを縦折りした後に横断裁することで、所定の大きさに折り畳んで折帖を形成する。排紙装置は、折り畳まれた折帖を機外へ搬出する。
【０００３】
ところで、ウェブは、搬送中に幅方向にずれることがあり、ウェブパス装置は、ウェブガイドを用いてウェブにおける幅方向の位置を調整する。即ち、ウェブパス装置にて、ウェブガイドよりウェブの搬送方向の下流側に検出器を設け、検出器は、搬送されるウェブの幅方向の位置を検出する。制御装置は、検出器が検出したウェブの幅方向の位置のずれ量を求め、このずれ量が減少するようにウェブガイドを作動制御する。このようなウェブ位置調整装置としては、例えば、下記特許文献に記載されたものがある。
【先行技術文献】
【特許文献】
【０００４】
【特許文献１】特開２０１６−０１６９７５号公報
【特許文献２】特許第５２５５３８１号公報
【発明の概要】
【発明が解決しようとする課題】
【０００５】
ところで、印刷済のウェブは、乾燥装置、冷却装置、ウェブパス装置を経て折り装置に送られ、三角板を用いて縦折りされる。三角板は、表面に空気層を形成した状態でウェブが供給され、ウェブの幅方向における中心位置に折り目を付けることから、ウェブは、この三角板の空気層に応じて幅方向にずれやすい。ウェブは、ウェブガイドにより幅方向の位置が調整されるものの、三角板で幅方向にずれてしまうことがあり、縦折り精度が低下してしまう。そこで、ウェブガイドを三角板の直上流側に配置することが考えられるが、ウェブガイドと三角板との間には、印刷品質管理装置や見当制御装置などが配置されていることから、ここにウェブガイドを配置することは困難である。
【０００６】
本発明は上述した課題を解決するものであり、ウェブの縦折り精度の向上を図るウェブ位置調整装置および方法並びに印刷機を提供することを目的とする。
【課題を解決するための手段】
【０００７】
上記の目的を達成するための本発明のウェブ位置調整装置は、搬送されるウェブを縦折りする三角板と、前記三角板または前記三角板より前記ウェブの搬送方向の上流側に設けられて前記ウェブの幅方向の位置を調整する幅方向調整装置と、前記三角板で縦折りされる前記ウェブの幅方向の位置を検出する第１幅方向位置検出器と、前記第１幅方向位置検出器の検出結果に基づいて前記幅方向調整装置を制御する制御装置と、を備えることを特徴とするものである。
【０００８】
従って、ウェブは、三角板を通過するときに縦折りされ、第１幅方向位置検出器は、三角板で縦折りされるウェブの幅方向の位置を検出する。制御装置は、第１幅方向位置検出器が検出したウェブの幅方向の位置に基づいて幅方向調整装置を制御し、幅方向調整装置は、ウェブの幅方向の位置を調整する。すると、三角板を通過するときのウェブの幅方向の位置が適正位置に修正され、三角板によりウェブを幅方向の適正位置で縦折りすることができる。その結果、ウェブの縦折り精度の向上を図ることができる。
【０００９】
本発明のウェブ位置調整装置では、前記第１幅方向位置検出器は、前記三角板における少なくとも幅方向の一方側に設けられることを特徴としている。
【００１０】
従って、第１幅方向位置検出器は、三角板における少なくとも幅方向の一方側を通るウェブの幅方向の端部の位置を検出することで、三角板で縦折りされるウェブの幅方向の位置を検出することとなり、容易で高精度にウェブの幅方向の位置を検出することができる。
【００１１】
本発明のウェブ位置調整装置では、前記三角板より前記ウェブの搬送方向の下流側に縦折りされた前記ウェブを挟持して搬送する一対の支持ローラが設けられ、前記第１幅方向位置検出器は、前記三角板の全長における中間位置より前記支持ローラ側に設けられることを特徴としている。
【００１２】
従って、第１幅方向位置検出器は、一対の支持ローラに接近した位置で、三角板で縦折りされて一対の支持ローラにより重ねられる直前のウェブの位置を検出することとなり、ウェブの幅方向の位置を高精度に検出することができる。
【００１３】
本発明のウェブ位置調整装置では、前記三角板より前記ウェブの搬送方向の上流側で且つ前記幅方向調整装置より前記ウェブの搬送方向の下流側で前記ウェブの幅方向の位置を検出する第２幅方向位置検出器が設けられ、前記制御装置は、前記第１幅方向位置検出器と前記第２幅方向位置検出器の検出結果に基づいて前記幅方向調整装置をカスケード制御することを特徴としている。
【００１４】
従って、制御装置は、三角板で縦折りされるウェブの幅方向の位置と、幅方向調整装置により幅方向の位置が調整された直後のウェブの幅方向の位置とに基づいて幅方向調整装置をカスケード制御することから、幅方向調整装置を通過後のウェブの幅方向の位置と、三角板で縦折りされるウェブの幅方向の位置とを高精度に調整することができる。
【００１５】
本発明のウェブ位置調整装置では、前記制御装置は、前記第１幅方向位置検出器の検出位置での前記ウェブの幅方向のずれ量が減少するように、前記第２幅方向位置検出器の検出位置での前記ウェブの幅方向の目標位置を設定して前記幅方向調整装置を制御することを特徴としている。
【００１６】
従って、第１幅方向位置検出器の検出位置、つまり、三角板を通過して縦折りされるときのウェブの幅方向の位置を高精度に調整することができる。
【００１７】
また、本発明のウェブ位置調整方法は、搬送されるウェブを三角板により縦折りする工程と、前記三角板で縦折りされる前記ウェブの幅方向の位置を検出する工程と、前記三角板または前記三角板より前記ウェブの搬送方向の上流側で検出した前記ウェブの幅方向の位置に基づいて前記ウェブの幅方向の位置を調整する工程と、を有することを特徴とするものである。
【００１８】
従って、三角板を通過するときのウェブの幅方向に位置が適正位置に修正され、三角板によりウェブを幅方向の適正位置で縦折りすることができる。その結果、ウェブの縦折り精度の向上を図ることができる。
【００１９】
また、本発明の印刷機は、ウェブを供給する給紙装置と、前記給紙装置から供給された前記ウェブに対して印刷を施す印刷装置と、前記印刷装置により印刷が施された前記ウェブを縦折りした後に断裁して所定の折帖を形成する折り装置と、前記折り装置により折り畳まれた折帖を排出する排紙装置と、前記ウェブ位置調整装置と、を備えることを特徴とするものである。
【００２０】
従って、給紙装置がウェブを供給すると、印刷装置は、給紙装置から供給されたウェブに対して印刷を施し、折り装置は、印刷装置により印刷が施されたウェブを縦折りした後に断裁して所定の折帖を形成し、排紙装置は、折り装置により折り畳まれた折帖を排出する。このとき、折り装置にて、ウェブは、三角板を通過するときに縦折りされ、第１幅方向位置検出器は、三角板で縦折りされるウェブの幅方向の位置を検出する。制御装置は、第１幅方向位置検出器が検出したウェブの幅方向の位置に基づいて幅方向調整装置を制御し、幅方向調整装置は、ウェブの幅方向の位置を調整する。すると、三角板を通過するときのウェブの幅方向に位置が適正位置に修正され、三角板によりウェブを幅方向の適正位置で縦折りすることができる。その結果、ウェブの縦折り精度の向上を図ることができる。
【発明の効果】
【００２１】
本発明のウェブ位置調整装置および方法並びに印刷機によれば、ウェブの縦折り精度の向上を図ることができる。
【図面の簡単な説明】
【００２２】
【図１】図１は、本実施形態のウェブ位置調整装置を表す概略構成図である。
【図２】図２は、幅方向調整装置を表す概略斜視図である。
【図３】図３は、三角板を表す正面図である。
【図４】図４は、三角板を表す側面図である。
【図５】図５は、図３のＶ−Ｖ断面図である。
【図６】図６は、ウェブの幅方向の位置調整方法を表す概略図である。
【図７】図７は、本実施形態のウェブ位置調整装置の第１変形例を表す概略図である。
【図８】図８は、本実施形態のウェブ位置調整装置の第２変形例を表す概略図である。
【図９】図９は、本実施形態のウェブ位置調整装置が適用されたオフセット輪転印刷機を表す概略図である。
【発明を実施するための形態】
【００２３】
以下に添付図面を参照して、本発明に係るウェブ位置調整装置および方法並びに印刷機の好適な実施形態を詳細に説明する。なお、この実施形態により本発明が限定されるものではなく、また、実施形態が複数ある場合には、各実施形態を組み合わせて構成するものも含むものである。
【００２４】
図９は、本実施形態のウェブ位置調整装置が適用されたオフセット輪転印刷機を表す概略図である。
【００２５】
本実施形態の印刷機は、商業用オフセット輪転印刷機である。図９に示すように、オフセット輪転印刷機１０は、給紙装置１１と、インフィード装置１２と、印刷装置１３と、乾燥装置１４と、冷却装置１５と、ウェブパス装置１６と、折り装置１７と、排紙装置１８とから構成される。
【００２６】
給紙装置１１は、２つの巻取体（ウェブロール）が装着されるリールスタンドを有しており、一方の巻取体からウェブＷを引き出して供給可能である。このとき、一方の巻取体に巻き取られたウェブＷが減少すると、一方の巻取体から引き出されたウェブＷを他方の巻取体のウェブＷに接続することで、連続的にウェブＷを供給可能である。インフィード装置１２は、給紙装置１１から供給されたウェブＷの張力を調整することで、印刷装置１３に供給するウェブＷの張力を適正値に安定して維持する。印刷装置１３は、複数（本実施形態では、４個）の印刷ユニット１３ａ，１３ｂ，１３ｃ，１３ｄを有する。印刷ユニット１３ａ，１３ｂ，１３ｃ，１３ｄは、例えば、インキ色である藍（Cyan）、紅（Magenta）、黄（yellow）、墨（Black）の印刷を実施可能であり、ウェブＷの搬送方向に沿って直線状に配置される。乾燥装置１４は、印刷装置１３によりウェブＷの印刷面に転写されたインキを加熱して乾燥させる。冷却装置１５は、乾燥装置１４により加熱された過剰な熱を蓄えるウェブＷを所定の温度まで冷却する。ウェブパス装置１６は、ウェブＷにおける天地長手方向や幅方向における搬送位置を調整しながらウェブＷを折り装置１７に搬送する。折り装置１７は、ウェブＷを三角板で縦折りした後、横裁断し、所定の大きさに横折りして折帖を形成する。排紙装置１８は、折り畳まれた折帖を機外へ搬出する。
【００２７】
従って、給紙装置１１により巻取体からウェブＷが引き出されると、ウェブＷは、インフィード装置１２により張力が調整されて印刷装置１３に供給され、印刷装置１３により印刷面にインキが転写されて多色印刷が施される。印刷後のウェブＷは、乾燥装置１４によりインキが乾燥され、冷却装置１５により冷却され、ウェブパス装置１６により位置調整されて搬送され、折り装置１７により折帖が作成され、排紙装置１８により搬出される。
【００２８】
上述した本実施形態のオフセット輪転印刷機１０は、ウェブ位置調整装置が設けられる。図１は、本実施形態のウェブ位置調整装置を表す概略構成図である。
【００２９】
図１に示すように、本実施形態のウェブ位置調整装置２０は、三角板２１と、幅方向調整装置２２と、第１幅方向位置検出器２３と、制御装置２４とを備える。
【００３０】
三角板２１は、折り装置１７を構成する部材の一つであり、搬送されるウェブＷを縦折りする。幅方向調整装置２２は、折り装置１７（三角板２１）よりウェブＷの搬送方向の上流側に設けられ、ウェブＷの幅方向の位置を調整する。第１幅方向位置検出器２３は、三角板２１で縦折りされている途中のウェブＷの幅方向の位置を検出する。制御装置２４は、第１幅方向位置検出器２３の検出結果に基づいて幅方向調整装置２２を制御する。
【００３１】
図２は、ウェブガイドを表す概略斜視図、図３は、三角板を表す正面図、図４は、三角板を表す側面図、図５は、図３のＶ−Ｖ断面図である。
【００３２】
図１および図２に示すように、幅方向調整装置２２は、調整ローラ３１とガイドローラ３２と調整ローラ３１を移動するローラ移動装置３３とを有する。そのため、ウェブパス装置１６にて、ウェブＷは、ガイドローラ３４から調整ローラ３１に案内されることで直角方向に搬送方向の向きが変更され、続いて、ガイドローラ３２に案内されることで再び直角方向に搬送方向の向きが変更され、ガイドローラ３５，３６に案内されて折り装置１７に搬送される。このとき、図２に二点鎖線で示すように、ローラ移動装置３３により調整ローラ３１をウェブＷの幅方向に対して傾斜させる。すると、ウェブＷは、調整ローラ３１に案内されるときに、直角方向に搬送方向の向きが変更されると共に、幅方向に搬送方向の向きが変更される。続いて、ウェブＷは、ガイドローラ３２に案内されるときに、直角方向に搬送方向の向きが変更されると共に、幅方向に搬送方向の向きが変更される。すると、ウェブＷは、搬送位置が幅方向の一方側に調整される。なお、ローラ移動装置３３により調整ローラ３１をウェブＷの幅方向に対して逆方向に傾斜させると、ウェブＷは、搬送位置が幅方向の他方側に調整される。
【００３３】
図３および図４に示すように、折り装置１７にて、三角板２１は、鉛直方向の上方側が底辺で下方側が頂点になるような二等辺三角形状をなし、正面である第１案内面２１ａが鉛直方向の上方側を向くように鉛直方向に対して所定角度だけ傾斜して配置される。三角板２１は、床面４０に設置されるスタンド４１に支持される。また、三角板２１は、第１案内面２１ａの左右の折辺２１ｂを介して第２案内面２１ｃが設けられ、第１案内面２１ａにおける幅方向の各端部に左右の折辺２１ｂに沿って複数の空気噴出孔２１ｄが設けられると共に、第２案内面２１ｃに左右の折辺２１ｂに沿って複数の空気噴出孔２１ｅが設けられる。三角板２１は、複数の空気噴出孔２１ｄ，２１ｅが設けられ、空気供給管４７が連結されており、第１案内面２１ａと第２案内面２１ｃの表面に空気層を形成する。
【００３４】
三角板２１は、鉛直方向の上方側にガイドローラ５１が設けられ、鉛直方向の下方側に一対のリードインローラ５２が設けられる。ガイドローラ５１は、三角板の第１案内面２１ａに平行な水平方向に沿って配置され、一対のリードインローラ５２は、三角板の第１案内面２１ａに直交する水平方向に沿って配置される。なお、ガイドローラ５１よりウェブＷの搬送方向の上流側には、ガイドローラ５３，５４が配置され、一対のリードインローラ５２よりウェブＷの搬送方向の下流側には、図示しない、一対のニッピングローラ、ウェブＷを保持して搬送する折胴、縦折りされたウェブＷを横裁断して折帖を形成する鋸胴などが配置されている。
【００３５】
そのため、折り装置１７に搬送されたウェブＷは、ガイドローラ５３，５４からガイドローラ５１に搬送され、ガイドローラ５１により三角板２１に供給される。ウェブＷは、三角板２１の第１案内面２１ａに案内されて搬送され、左右の折辺２１ｂを通過するときに、幅方向の中心位置で縦折りされる。このとき、三角板２１は、空気供給管４７から空気が供給され、空気が複数の空気噴出孔２１ｄ，２１ｅから噴出され、第１案内面２１ａと第２案内面２１ｃに空気層が形成される。すると、ウェブＷは、裏面がこの空気層に案内されながら三角板２１により縦折りされる。そして、縦折りされたウェブＷは、一対のリードインローラ５２に挟持されて搬送される。
【００３６】
第１幅方向位置検出器２３は、三角板２１における少なくとも幅方向の一方側に設けられる。本実施形態では、第１幅方向位置検出器２３を三角板２１における幅方向の両側に設けている。左右の第１幅方向位置検出器２３は、スタンド４１に固定されたブラケット６１に支持される。第１幅方向位置検出器２３は、三角板２１で縦折りされている途中のウェブＷの幅方向の位置を検出する。第１幅方向位置検出器２３は、三角板２１の全長（鉛直方向に沿った長さ）における中間位置より一対のリードインローラ５２側に設けられる。三角板２１でウェブＷが縦折りされるとき、ウェブＷは、三角板２１の第１案内面２１ａに沿った方向から一対のリードインローラ５２に挟持される方向に紙面の角度が変更される。そのため、第１幅方向位置検出器２３は、ウェブＷの搬送角度に合わせて傾斜して配置される。即ち、図４に示すように、三角板２１を側面側から見ると、第１幅方向位置検出器２３は、水平をなして配置されるが、図３に示すように、三角板２１を正面側から見ると、第１幅方向位置検出器２３は、水平方向に対して所定角度傾斜して配置される。
【００３７】
図５に示すように、第１幅方向位置検出器２３は、本体２３ａと、投光部２３ｂと、受光部２３ｃとを有する。本体２３ａは、ブラケット６１を介してスタンド４１に固定される。投光部２３ｂと受光部２３ｃは、対向して配置され、ウェブＷにおける幅方向の端部Ｗ１が投光部２３ｂと受光部２３ｃとの間を通るように配置される。このとき、投光部２３ｂからの投光が、ウェブＷの紙面に対して直交するように配置される。そのため、ウェブＷの端部Ｗ１が投光部２３ｂと受光部２３ｃとの間を通るとき、投光部２３ｂからの投光は、一部がウェブＷにより遮られ、受光部２３ｃは残りを受光する。例えば、ウェブＷの幅方向の位置が適正であり、三角板２１によりウェブＷの幅方向の中心位置で縦折りされるときの受光率（または、遮蔽率）を標準受光率（または、標準遮蔽率）と設定し、三角板２１によりウェブＷが縦折りされるときに検出した検出受光率（または、検出遮蔽率）と標準受光率（または、標準遮蔽率）とを比較することで、ウェブＷにおけるは幅方向のずれ量を求める。
【００３８】
また、図１に示すように、折り装置１７（三角板２１）よりウェブＷの搬送方向の上流側で、且つ、ウェブパス装置１６の幅方向調整装置２２よりウェブＷの搬送方向の下流側でウェブＷの幅方向の位置を検出する第２幅方向位置検出器２５が設けられる。この第２幅方向位置検出器２５は、第１幅方向位置検出器２３と同様に、ウェブＷの少なくとも幅方向の一方側に設けられる。本実施形態では、第２幅方向位置検出器２５をウェブＷにおける幅方向の両側に設けている。左右の第２幅方向位置検出器２５は、幅方向調整装置２２で位置調整されたウェブＷの幅方向の位置を検出する。
【００３９】
制御装置２４は、第１幅方向位置検出器２３と第２幅方向位置検出器２５の検出結果に基づいて幅方向調整装置２２をカスケード制御する。即ち、制御装置２４は、第１幅方向位置検出器２３の検出位置でのウェブＷの幅方向のずれ量が減少するように、第２幅方向位置検出器２５の検出位置でのウェブＷの幅方向の目標位置を設定して幅方向調整装置２２を制御する。
【００４０】
ここで、本実施形態のウェブ位置調整装置２０によるウェブＷ位置調整方法について説明する。図６は、ウェブの幅方向の位置調整方法を表す概略図である。
【００４１】
図１及び図６に示すように、印刷されたウェブＷは、加熱乾燥及び冷却されることで、幅方向の位置がずれやすい。そのため、まず、ウェブパス装置１６にて、第２幅方向位置検出器２５は、幅方向調整装置２２を通過したウェブＷの幅方向の位置を検出し、検出結果を制御装置２４に出力する。その後、ウェブＷは、ウェブパス装置１６から折り装置１７に送られ、次に、折り装置１７にて、第１幅方向位置検出器２３は、三角板２１で縦折りされているウェブＷの幅方向の位置を検出し、検出結果を制御装置２４に出力する。
【００４２】
制御装置２４は、第１幅方向位置検出器２３の検出結果に基づいて第１幅方向位置検出器２３の検出位置でのウェブＷの幅方向のずれ量ｄ１を算出すると共に、第２幅方向位置検出器２５の検出結果に基づいて第２幅方向位置検出器２５の検出位置でのウェブＷの幅方向のずれ量ｄ２を算出する。そして、制御装置２４は、第１幅方向位置検出器２３の検出位置でのウェブＷの幅方向のずれ量ｄ１が減少するように、つまり、第１幅方向位置検出器２３の検出位置でのウェブＷの幅方向のずれ量ｄ１＝０となるように、第２幅方向位置検出器２５の検出位置でのウェブＷの幅方向の目標位置を設定する。即ち、第２幅方向位置検出器２５の検出位置でのウェブＷの幅方向のずれ量ｄ２＝−ｄ１となるように幅方向調整装置２２を制御する。
【００４３】
すると、ウェブＷは、三角板２１を通過するとき、適正位置、つまり、幅方向における中心位置で縦折りされることとなり、ウェブＷの縦折り精度が向上する。
【００４４】
ところで、第１幅方向位置検出器２３を一対のリードインローラ５２よりウェブＷの搬送方向の下流側に配置し、三角板２１で縦折りされて一対のリードインローラ５２に挟持された後のウェブＷの幅方向の位置を検出することも考えられる。ところが、縦折りされた後のウェブＷは、幅方向の両端が重なっているために個別のウェブ端の幅方向位置を検出することが難しく、高性能の幅方向位置検出器が必要となってコストが増加してしまう。
【００４５】
なお、上述した実施形態では、幅方向調整装置２２を調整ローラ３１とガイドローラ３２とローラ移動装置３３とから構成し、制御装置２４は、第１幅方向位置検出器２３と第２幅方向位置検出器２５の検出結果に基づいて幅方向調整装置２２をカスケード制御するものとしたが、この構成に限定されるものではない。図７は、本実施形態のウェブ位置調整装置の第１変形例を表す概略図、図８は、本実施形態のウェブ位置調整装置の第２変形例を表す概略図である。
【００４６】
本実施形態の第１変形例において、図７に示すように、ウェブ位置調整装置２０Ａは、三角板２１と、幅方向調整装置７１と、第１幅方向位置検出器２３と、制御装置２４とを備える。三角板２１と第１幅方向位置検出器２３は、上述した実施形態と同様であり、説明は省略する。
【００４７】
幅方向調整装置７１は、三角板２１を搬送するウェブＷの幅方向に移動する移動装置７２を有する。移動装置７２は、駆動ロッド７３の先端部が三角板２１のスタンド４１に連結される。そのため、移動装置７２を作動することで、駆動ロッド７３を介してスタンド４１を移動し、三角板２１をウェブＷの幅方向の一方または他方に移動することができる。三角板２１がウェブＷに対して幅方向の一方または他方に移動すると、三角板２１に縦折りされるウェブＷの位置が調整される。
【００４８】
そのため、折り装置１７にて、第１幅方向位置検出器２３は、三角板２１で縦折りされているウェブＷの幅方向の位置を検出し、検出結果を制御装置２４に出力する。制御装置２４は、第１幅方向位置検出器２３の検出結果に基づいて第１幅方向位置検出器２３の検出位置でのウェブＷの幅方向のずれ量ｄ１を算出する。そして、制御装置２４は、第１幅方向位置検出器２３の検出位置でのウェブＷの幅方向のずれ量ｄ１が減少するように、つまり、第１幅方向位置検出器２３の検出位置でのウェブＷの幅方向のずれ量ｄ１＝０となるように幅方向調整装置７１を制御する。
【００４９】
すると、幅方向調整装置７１は、移動装置７２により三角板２１をウェブＷの幅方向にずれ量ｄ１だけ移動し、ウェブに対する三角板２１の幅方向の位置が調整される。ウェブＷは、三角板２１を通過するとき、適正位置、つまり、幅方向における中心位置で縦折りされることとなり、ウェブＷの縦折り精度が向上する。
【００５０】
また、本実施形態の第２変形例において、図８に示すように、ウェブ位置調整装置２０Ｂは、三角板２１と、幅方向調整装置８１と、第１幅方向位置検出器２３と、制御装置２４とを備える。三角板２１と第１幅方向位置検出器２３は、上述した実施形態と同様であり、説明は省略する。
【００５１】
幅方向調整装置８１は、三角板２１の空気噴出孔２１ｄ，２１ｅからの空気噴出量を調整可能な流量調整弁８２，８３を有する。空気供給源８４は、三角板２１の幅方向の一方側の空気噴出孔２１ｄ，２１ｅの空気供給ライン８５に接続されると共に、三角板２１の幅方向の他方側の空気噴出孔２１ｄ，２１ｅの空気供給ライン８６に接続される。空気供給ライン８５に流量調整弁８２が設けられ、空気供給ライン８６に流量調整弁８３が設けられる。そのため、流量調整弁８２，８３の開度を調整すると、三角板２１の幅方向の一方側の空気噴出孔２１ｄ，２１ｅから噴出される空気量と、三角板２１の幅方向の他方側の空気噴出孔２１ｄ，２１ｅから噴出される空気量の割合が変更され、三角板２１に対してウェブＷを幅方向の一方または他方に移動し、ウェブＷの位置が調整される。
【００５２】
そのため、折り装置１７にて、第１幅方向位置検出器２３は、三角板２１で縦折りされているウェブＷの幅方向の位置を検出し、検出結果を制御装置２４に出力する。制御装置２４は、第１幅方向位置検出器２３の検出結果に基づいて第１幅方向位置検出器２３の検出位置でのウェブＷの幅方向のずれ量ｄ１を算出する。そして、制御装置２４は、第１幅方向位置検出器２３の検出位置でのウェブＷの幅方向のずれ量ｄ１が減少するように、つまり、第１幅方向位置検出器２３の検出位置でのウェブＷの幅方向のずれ量ｄ１＝０となるように幅方向調整装置８１を制御する。
【００５３】
すると、幅方向調整装置８１は、流量調整弁８２，８３の開度を調整することで、三角板２１の幅方向の一方側の空気噴出孔２１ｄ，２１ｅから噴出される空気量と、三角板２１の幅方向の他方側の空気噴出孔２１ｄ，２１ｅから噴出される空気量の割合を変更し、三角板２１に対してウェブＷを幅方向にずれ量−ｄ１だけ移動し、ウェブＷの位置が調整される。この場合、流量調整弁８２，８３の開度と、左右の空気噴出孔２１ｄ，２１ｅから噴出される空気量と、ウェブＷの幅方向の移動量の関係を予め実験により求めておくことが好ましい。ウェブＷは、三角板２１を通過するとき、適正位置、つまり、幅方向における中心位置で縦折りされることとなり、ウェブＷの縦折り精度が向上する。
【００５４】
なお、本実施形態の第１変形例と第２変形例では、図１に示すように、第２幅方向位置検出器２５は、幅方向調整装置２２の下流側でウェブＷの幅方向の位置を検出し、検出結果を制御装置２４に出力する。制御装置２４は、第２幅方向位置検出器２５の検出結果に基づいて第２幅方向位置検出器２５の検出位置でのウェブＷの幅方向のずれ量ｄ２を算出する。そして、制御装置２４は、第２幅方向位置検出器２５の検出位置でのウェブＷの幅方向のずれ量ｄ２が減少するように、つまり、第２幅方向位置検出器２５の検出位置でのウェブＷの幅方向のずれ量ｄ２＝０となるように幅方向調整装置２２を制御する。
【００５５】
このように本実施形態のウェブ位置調整装置にあっては、搬送されるウェブＷを縦折りする三角板２１と、三角板２１または三角板２１よりウェブＷの搬送方向の上流側に設けられてウェブＷの幅方向の位置を調整する幅方向調整装置２２，７１，８１と、三角板２１で縦折りされるウェブＷの幅方向の位置を検出する第１幅方向位置検出器２３と、第１幅方向位置検出器２３の検出結果に基づいて幅方向調整装置２２，７１，８１を制御する制御装置２４とを備える。
【００５６】
従って、ウェブＷは、三角板２１を通過するときに縦折りされ、第１幅方向位置検出器２３は、三角板２１で縦折りされるウェブＷの幅方向の位置を検出する。制御装置２４は、第１幅方向位置検出器２３が検出したウェブＷの幅方向の位置に基づいて幅方向調整装置２２，７１，８１を制御し、幅方向調整装置２２，７１，８１は、ウェブＷの幅方向の位置を調整する。すると、三角板２１を通過するときのウェブＷの幅方向の位置が適正位置に修正され、三角板２１によりウェブＷを幅方向の適正位置で縦折りすることができる。その結果、ウェブＷの縦折り精度の向上を図ることができる。
【００５７】
本実施形態のウェブ位置調整装置では、第１幅方向位置検出器２３は、三角板２１における少なくとも幅方向の一方側に設けられる。従って、第１幅方向位置検出器２３は、三角板２１における少なくとも幅方向の一方側を通るウェブＷの幅方向の端部Ｗ１の位置を検出することで、三角板２１で縦折りされるウェブＷの幅方向の位置を検出することとなり、容易で高精度にウェブＷの幅方向の位置を検出することができる。
【００５８】
本実施形態のウェブ位置調整装置では、三角板２１よりウェブＷの搬送方向の下流側に縦折りされたウェブＷを挟持して搬送する一対のリードインローラ５２が設けられ、第１幅方向位置検出器２３は、三角板２１の全長における中間位置よりリードインローラ５２側に設けられる。従って、第１幅方向位置検出器２３は、一対のリードインローラ５２に接近した位置で、三角板２１で縦折りされて一対のリードインローラ５２により重ねられる直前のウェブＷの位置を検出することとなり、ウェブＷの幅方向の位置を高精度に検出することができる。
【００５９】
本実施形態のウェブ位置調整装置では、三角板２１よりウェブＷの搬送方向の上流側で且つ幅方向調整装置２２よりウェブＷの搬送方向の下流側でウェブＷの幅方向の位置を検出する第２幅方向位置検出器２５を設け、制御装置２４は、第１幅方向位置検出器２３と第２幅方向位置検出器２５の検出結果に基づいて幅方向調整装置２２をカスケード制御する。従って、制御装置２４は、三角板２１で縦折りされるウェブＷの幅方向の位置と、幅方向調整装置２２により幅方向の位置が調整された直後のウェブＷの幅方向の位置とに基づいて幅方向調整装置２２をカスケード制御することから、幅方向調整装置２２を通過後のウェブＷの幅方向の位置と、三角板で縦折りされるウェブＷの幅方向の位置とを高精度に調整することができる。
【００６０】
本実施形態のウェブ位置調整装置では、制御装置２４は、第１幅方向位置検出器２３の検出位置でのウェブＷの幅方向のずれ量が減少するように、第２幅方向位置検出器２５の検出位置でのウェブＷの幅方向の目標位置を設定して幅方向調整装置２２を制御する。従って、第１幅方向位置検出器２３の検出位置、つまり、三角板２１を通過して縦折りされるときのウェブＷの幅方向の位置を高精度に調整することができる。
【００６１】
また、本実施形態のウェブ位置調整方法にあっては、搬送されるウェブＷを三角板２１により縦折りする工程と、三角板２１で縦折りされるウェブＷの幅方向の位置を検出する工程と、三角板２１または三角板２１よりウェブＷの搬送方向の上流側で検出したウェブＷの幅方向の位置に基づいてウェブＷの幅方向の位置を調整する工程とを有する。従って、三角板２１を通過するときのウェブＷの幅方向に位置が適正位置に修正され、三角板２１によりウェブＷを幅方向の適正位置で縦折りすることができる。その結果、ウェブＷの縦折り精度の向上を図ることができる。
【００６２】
また、本実施形態の印刷機にあっては、ウェブＷを供給する給紙装置１１と、給紙装置１１から供給されたウェブＷに対して印刷を施す印刷装置１３と、印刷装置１３により印刷が施されたウェブＷを縦折りした後に断裁して所定の折帖を形成する折り装置１７と、折り装置１７により折り畳まれた折帖を排出する排紙装置１８と、ウェブ位置調整装置２０，２０Ａ，２０Ｂとを備える。
【００６３】
従って、給紙装置１１がウェブＷを供給すると、印刷装置１３は、給紙装置１１から供給されたウェブＷに対して印刷を施し、折り装置１７は、印刷装置１３により印刷が施されたウェブＷを縦折りした後に断裁して所定の折帖を形成し、排紙装置１８は、折り装置１７により折り畳まれた折帖を排出する。このとき、折り装置１７にて、ウェブＷは、三角板２１を通過するときに縦折りされ、第１幅方向位置検出器２３は、三角板２１で縦折りされるウェブＷの幅方向の位置を検出する。制御装置２４は、第１幅方向位置検出器２３が検出したウェブＷの幅方向の位置に基づいて幅方向調整装置２２，７１，８１を制御し、幅方向調整装置２２，７１，８１は、ウェブＷの幅方向の位置を調整する。すると、三角板２１を通過するときのウェブＷの幅方向の位置が適正位置に修正され、三角板２１によりウェブＷを幅方向の適正位置で縦折りすることができる。その結果、ウェブＷの縦折り精度の向上を図ることができる。
【００６４】
なお、上述した実施形態では、第１幅方向位置検出器２３が本体２３ａと投光部２３ｂと受光部２３ｃとを有するものとしたが、この構成に限定されるものではない。例えば、第１幅方向位置検出器２３としてカメラを用い、撮影画像を二値化処理してウェブＷの端部Ｗ１を検出してもよく、第２幅方向位置検出器２５も同様である。
【００６５】
また、上述した実施形態では、第１幅方向位置検出器２３を三角板２１の全長における中間位置よりリードインローラ５２側に設けたが、第１幅方向位置検出器２３を三角板２１の全長における中間位置やこの中間位置よりガイドローラ５１側に設けてもよい。
【符号の説明】
【００６６】
１０  オフセット輪転印刷機
１１  給紙装置
１２  インフィード装置
１３  印刷装置
１３ａ，１３ｂ，１３ｃ，１３ｄ  印刷ユニット
１４  乾燥装置
１５  冷却装置
１６  ウェブパス装置
１７  折り装置
１８  排紙装置
２０，２０Ａ，２０Ｂ  ウェブ位置調整装置
２１  三角板
２１ａ  第１案内面
２１ｂ  折辺
２１ｃ  第２案内面
２１ｄ，２１ｅ  空気噴出孔
２２，７１，８１  幅方向調整装置
２３  第１幅方向位置検出器
２３ａ  本体
２３ｂ  投光部
２３ｃ  受光部
２４  制御装置
２５  第２幅方向位置検出器
３１  調整ローラ
３２  ガイドローラ
３３  ローラ移動装置
４１  スタンド
５１  ガイドローラ
５２  リードインローラ（支持ローラ）
６１  ブラケット
７２  移動装置
８２，８３  流量調整弁
Ｗ  ウェブ
Ｗ１  端部
【図１】
2020033170.tif 000003
【図２】
2020033170.tif 000004
【図３】
2020033170.tif 000005
【図４】
2020033170.tif 000006
【図５】
2020033170.tif 000007
【図６】
2020033170.tif 000008
【図７】
2020033170.tif 000009
【図８】
2020033170.tif 000010
【図９】
2020033170.tif 000011